【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
建物の開口部を挟む両脇の位置に、互いに平行に配設され、且つ、該開口部からその直上の天井部まで延在する一対のガイドレールと、該一対のガイドレールの長さ方向に積層してなる複数のパネル及び該複数のパネルのうち、隣接するパネル同士を旋回可能に接合するヒンジを有するパネル連接体と、該パネル連接体の両端から前記一対のガイドレールに向けて延在し、且つ、前記一対のガイドレールを走行する複数のガイドローラ部材を有するオーバーヘッドドアにおいて、
前記各ヒンジは、前記一対のガイドレールに向けて延在するヒンジ用軸と、該ヒンジ用軸を旋回可能に支持する第一の軸受を有し、且つ、隣接するパネルのうち一方に配設された第一の軸受部材と、前記ヒンジ用軸を旋回可能に支持する第二の軸受を有し、且つ、隣接するパネルのうち他方に配設された第二の軸受部材と、前記第一の軸受と前記第二の軸受との間の前記ヒンジ用軸上に形成された少なくとも一つの空間と、該空間内の前記ヒンジ用軸に配設された圧縮ばねを有し、
前記一対のガイドレールが、該一対のガイドレールを含む面内の水平方向に層間変形したときに、前記圧縮ばねの付勢力に抗して、隣接するパネルが互いに独立して前記ヒンジ用軸の軸方向に沿って移動可能となることを特徴とするオーバーヘッドドア。
【請求項２】
前記ヒンジは、前記パネル連接体の両端に設けられたサイドヒンジであることを特徴とする請求項１記載のオーバーヘッドドア。
【請求項３】
前記ヒンジは、前記パネル連接体の両端から離れた位置に設けられた中間ヒンジであることを特徴とする請求項１又は２に記載のオーバーヘッドドア。
【請求項４】
前記圧縮ばねの両端のうち、少なくとも一方に配設されたワッシャをさらに有することを特徴とする請求項１乃至３のいずれか１項に記載のオーバーヘッドドア。
【請求項５】
前記ガイドローラ部材が前記パネル連接体の両端の上部及び下部に設置されている場合、該ガイドローラ部材は、前記一対のガイドレールを走行するガイドローラと、該ガイドローラを支持し、且つ、前記一対のガイドレールに向けて延在するガイドローラ用軸と、該ガイドローラ用軸を回転可能に支持する軸受と、前記ガイドローラ用軸に取り付けられたワッシャと、該ワッシャと前記ガイドローラとの間に配設された圧縮ばねを有することを特徴とする請求項１乃至４のいずれか１項に記載のオーバーヘッドドア。
【手続補正２】
【補正対象書類名】明細書
【補正対象項目名】００１０
【補正方法】変更
【補正の内容】
【００１０】
本発明に係るオーバーヘッドドアは、前記ガイドローラ部材が前記パネル連接体の両端の上部及び下部に設置されている場合、該ガイドローラ部材は、前記一対のガイドレールを走行するガイドローラと、該ガイドローラを支持し、且つ、前記一対のガイドレールに向けて延在するガイドローラ用軸と、該ガイドローラ用軸を回転可能に支持する軸受と、前記ガイドローラ用軸に取り付けられたワッシャと、該ワッシャと前記ガイドローラとの間に配設された圧縮ばねを有することを特徴とする。
【手続補正３】
【補正対象書類名】明細書
【補正対象項目名】００１８
【補正方法】変更
【補正の内容】
【００１８】
重量上ヒンジプレート１６は、横方向から視て略Λ字状の部材であり、細長い矩形状のプレートの中央部分を屈曲して形成され、縦框部６への設置時に水平となる水平部１６ａと、当該中央部分を屈曲して形成され、縦框部６への設置時に傾斜する傾斜部１６ｃと、水平部１６ａ寄りの上記プレートの一端を直角に屈曲して形成された下屈曲部１６ｂと、傾斜部１６ｃ寄りの上記プレートの他端を直角に屈曲して形成された上屈曲部１６ｄとから概略構成されている。重量上ヒンジプレート１６の下屈曲部１６ｂ及び上屈曲部１６ｄは、それぞれ、縦框部６に対してボルト１８によって固定されている。尚、水平部１６ａには、下屈曲部１６ｂの側から傾斜部１６ｃに向けて、重量上ヒンジスライダ１７をスライドさせて案内するためのスライド溝（図示せず）が形成されている。
重量上ヒンジスライダ１７は、重量上ヒンジプレート１６の水平部１６ａに、そのスライド溝（図示せず）の長さ方向に沿って摺動可能に取り付けられた断面コ字状の部材である。この重量上ヒンジスライダ１７は、重量上ヒンジプレート１６の水平部１６ａ上に載置された矩形状の水平部１７ａと、この水平部１７ａの両端を直角に屈曲させて形成され、且つ、互いに対向する一対の垂直部１７ｂとから概略構成されている。一対の垂直部１７ｂには、それぞれ貫通孔１７ｃが形成され、両貫通孔１７ｃ間には、パイプ状の軸受１７ｄが配設されている。この重量上ヒンジスライダ１７の水平部１７ａは、重量上ヒンジプレート１６の水平部１６ａ上に、上記スライド溝（図示せず）内に遊嵌されたボルト１９及びナット２０によって摺動可能に取り付けられている。
【手続補正４】
【補正対象書類名】明細書
【補正対象項目名】００１９
【補正方法】変更
【補正の内容】
【００１９】
重量上ヒンジスライダ１７の軸受１７ｄは、ガイドローラ用軸２１を回転可能に支持している。このガイドローラ用軸２１の一端部側の部分は、軸受１７ｄからガイドレール２（図１（ｂ）参照）に向けて延在するように突出しており、その一端部は、ガイドレール２を走行するガイドローラ２２を支持している。ガイドローラ用軸２１の、重量上ヒンジスライダ１７の垂直部１７ｂ側の部分には、ワッシャ２３が取り付けられており、ガイドローラ２２とワッシャ２３との間には、圧縮ばね２４が配設されている。この場合、ガイドローラ用軸２１と上記軸受１７ｄとガイドローラ２２とワッシャ２３と圧縮ばね２４は、ガイドローラ部材４を構成する。一対のガイドレール２、２が、地震等の振動のエネルギーに由来する、例えば水平方向の外力を受けて、その外力がガイドローラ部材４を介してパネル連接体１１に伝達される際に、圧縮ばね２４がガイドローラ用軸２１の軸方向に沿って圧縮や伸長を交互に繰り返すことで、パネル連接体１１に伝達される外力の一部を吸収することができる。このため、圧縮ばね２４は当該外力によるパネル連接体１１等の部品の変形や破損を防止するための緩衝材として機能しつつ、一対のガイドレール２、２間においてパネル連接体１１全体の矩形状を維持する。圧縮ばね２４の有効長は、平時におけるガイドレール２とパネル連接体１１との離間距離に相当するガイドローラ用軸２１の突出部分の長さを基準として適宜設定され、当該突出部分の長さ以上であることが望ましい。この場合、上記外力を先ず、圧縮ばね２４が受け、その後に、ガイドローラ用軸２１が受けることができるので、圧縮ばね２４の緩衝効果を向上させることができる。また、圧縮ばね２４のばね荷重や圧縮代は、通常の使用時においてガイドレール２、２が受ける外力によって圧縮ばね２４が最大限、圧縮されたときであっても、ガイドレール２とパネル連接体１１との接触を回避できる程度の荷重や圧縮代に設定されることが望ましい。
また、ワッシャ２３により、圧縮ばね２４が受けた外力をガイドローラ用軸２１に対して伝達することができる。
【手続補正５】
【補正対象書類名】明細書
【補正対象項目名】００２８
【補正方法】変更
【補正の内容】
【００２８】
一対のガイドレール２、２が、地震等の振動のエネルギーに由来する、例えば水平方向の外力を受けて、その外力がガイドローラ部材４を介してパネル連接体１１に伝達される際に、圧縮ばね４３、４４がヒンジ用軸３６の軸方向に沿って圧縮や伸長を交互に繰り返すことで、その外力の一部を吸収することができる。また、上述した中サイドヒンジ１４が旋回可能に支持する上下二つのパネル５は、空間４１、４２及び圧縮ばね４３、４４により、互いに独立してヒンジ用軸３６の軸方向に沿って移動可能となる。圧縮ばね４３、４４の有効長は、壁部３８ｂと壁部４０ｂとの間の離間距離や壁部３８ｃと壁部４０ｃとの間の離間距離を基準として適宜設定され、上下二つのパネル５の各縦框部６の位置が上下方向で一致し、パネル連接体１１の両端部と一対のガイドレール２、２との間が平時の離間距離を保持できる長さであることが望ましい。圧縮ばね４３、４４のばね荷重や圧縮代は、平時における防犯性能を維持するため、不用意に、上下のパネル５が互いに独立してヒンジ用軸３６の軸方向に沿って移動しない程度の下限値と、地震等の影響により一対のガイドレール２、２が該一対のガイドレール２、２を含む面内の水平方向に層間変形した状態で、上下のパネル５が互いに独立してヒンジ用軸３６の軸方向に沿って移動可能となる程度の上限値との範囲内で、適宜設定されることが望ましい。
【手続補正６】
【補正対象書類名】明細書
【補正対象項目名】００３４
【補正方法】変更
【補正の内容】
【００３４】
一対のガイドレール２、２が、地震等の振動のエネルギーに由来する、例えば水平方向の外力を受けて、その外力がガイドローラ部材４を介してパネル連接体１１に伝達される際に、圧縮ばね５３、５４がヒンジ用軸４６の軸方向に沿って圧縮や伸長を交互に繰り返すことで、その外力の一部を吸収することができる。また、上述した中間ヒンジ１５ａが旋回可能に支持する上下二つのパネル５は、空間５１、５２及び圧縮ばね５３、５４により、互いに独立してヒンジ用軸４６の軸方向に沿って移動可能となる。圧縮ばね５３、５４の有効長は、壁部４８ｂと壁部５０ｂとの間の離間距離や壁部４８ｃと壁部５０ｃとの間の離間距離を基準として適宜設定され、上下二つのパネル５の各框補強部７の位置が上下方向で一致し、パネル連接体１１の両端部と一対のガイドレール２、２との間が平時の離間距離を保持できる長さであることが望ましい。圧縮ばね５３、５４のばね荷重や圧縮代は、上述した圧縮ばね４３、４４のばね荷重や圧縮代と同様の範囲内で、適宜設定されることが望ましい。
【手続補正７】
【補正対象書類名】明細書
【補正対象項目名】００４０
【補正方法】変更
【補正の内容】
【００４０】
一対のガイドレール２、２が、地震等の振動のエネルギーに由来する、例えば水平方向の外力を受けて、その外力がガイドローラ部材４を介してパネル連接体１１に伝達される際に、圧縮ばね６３、６４がヒンジ用軸５６の軸方向に沿って圧縮や伸長を交互に繰り返すことで、その外力の一部を吸収することができる。また、上述した中間ヒンジ１５ｂが旋回可能に支持する上下二つのパネル５は、空間６１、６２及び圧縮ばね６３、６４により、互いに独立してヒンジ用軸５６の軸方向に沿って移動可能となる。圧縮ばね６３、６４の有効長は、一方のパイプ状部５８ｂとパイプ状部６０ｂとの間の離間距離やパイプ状部６０ｂと他方のパイプ状部５８ｂとの間の離間距離を基準として適宜設定され、上下二つのパネル５の各框補強部７の位置が上下方向で一致し、パネル連接体１１の両端部と一対のガイドレール２、２との間が平時の離間距離を保持できる長さであることが望ましい。圧縮ばね６３、６４のばね荷重や圧縮代は、上述した圧縮ばね４３、４４等のばね荷重や圧縮代と同様の範囲内で、適宜設定されることが望ましい。
【手続補正８】
【補正対象書類名】明細書
【補正対象項目名】００４５
【補正方法】変更
【補正の内容】
【００４５】
実施の形態１によれば、一対のガイドレール２、２と、この一対のガイドレール２、２の長さ方向に積層してなる複数のパネル５及び該複数のパネル５のうち、隣接するパネル５同士を旋回可能に接合するヒンジ１４、１５ａ、１５ｂを有するパネル連接体１１と、このパネル連接体１１の両端から一対のガイドレール２、２に向けて延在し、且つ、一対のガイドレール２、２を走行する複数のガイドローラ部材４を有する。ヒンジ１４、１５ａ、１５ｂは、それぞれ、一対のガイドレール２、２に向けて延在するヒンジ用軸３６、４６、５６と、このヒンジ用軸３６、４６、５６を旋回可能に支持する第一の軸受３７、４７、５７を有し、且つ、隣接するパネル５のうち一方に配設された第一の軸受部材３８、４８、５８と、ヒンジ用軸３６、４６、５６を旋回可能に支持する第二の軸受３９、４９、５９を有し、且つ、隣接するパネル５のうち他方に配設された第二の軸受部材４０、５０、６０と、第一の軸受３７、４７、５７と第二の軸受３９、４９、５９との間のヒンジ用軸３６、４６、５６上に形成された二つの空間４１及び４２、５１及び５２、６１及び６２と、空間４１、４２、５１、５２、６１、６２内のヒンジ用軸３６、４６、５６に配設された圧縮ばね４３、４４、５３、５４、６３、６４を有している。このため、一対のガイドレール２、２が、この一対のガイドレール２、２を含む面内の水平方向に層間変形したときに、圧縮ばね４３、４４、５３、５４、６３、６４の圧縮時や伸長時に発生する復原力に基づく付勢力に抗して、隣接するパネル５が互いに独立して上記ヒンジ用軸３６、４６、５６の軸方向に沿って移動可能となる。これによって、一対のガイドレール２、２の層間変形後の形状に合わせて、パネル連接体１１を変形させることができる。このパネル連接体１１が変形した状態では、ガイドローラ部材４とガイドレール２との過度な接触を緩和でき、層間変形した一対のガイドレール２、２に沿う、パネル連接体１１の円滑な移動を確保できるので、オーバーヘッドドア１０を開けることができ、ユーザーの迅速且つ安全な退避行動や物品の円滑な搬出入作業が可能となり、ユーザーの閉じ込め等の不測の事態を回避できる。
【手続補正９】
【補正対象書類名】明細書
【補正対象項目名】００４９
【補正方法】変更
【補正の内容】
【００４９】
１  オーバーヘッドドア，  ２  ガイドレール，  ２ａ  垂直レール，
２ｂ  水平レール，  ２ｃ  湾曲レール，  ３  パネル連接体，
４  ガイドローラ部材，  ５  パネル，  ６  縦框部，  ７  框補強部，
１０  オーバーヘッドドア，  １１  パネル連接体，  １２  重量上サイドヒンジ，
１３  下サイドヒンジ，  １４  中サイドヒンジ，
１５，１５ａ，１５ｂ  中間ヒンジ，  １６  重量上ヒンジプレート，
１６ａ  水平部，  １６ｃ  傾斜部，  １６ｂ  下屈曲部，  １６ｄ  上屈曲部，
１７  重量上ヒンジスライダ，
１８，１９，２７，３４，４５，５５，６５  ボルト，  ２０  ナット，
２１  ガイドローラ用軸，  ２２  ガイドローラ，  ２３  ワッシャ，
２４，４３，４４，５３，５４，６３，６４  圧縮ばね，
２５  下サイドプレート，  ２６  軸受部材，  ２６ａ  軸受，
２８  パネル昇降手段，  ２９  ワイヤ，  ２９ａ  ループ，
３０  ワイヤ受け，  ３１  固定部材，  ３１ａ  貫通孔，
３２  割りピン，  ３３  水切りシール固定枠，  ３５  水切りシール，
３６，４６，５６  ヒンジ用軸，  ３７，４７，５７  第一の軸受，
３８，４８，５８  第一の軸受部材，
３８ａ，４０ａ，４８ａ，５０ａ，５８ａ，６０ａ  固定板，
３８ｂ，３８ｃ，４０ｂ，４０ｃ，４８ｂ，４８ｃ，５０ｂ，５０ｃ  壁部，
３８ｄ，３８ｅ，４０ｄ，４０ｅ，４８ｄ，４８ｅ，５０ｄ，５０ｅ  貫通孔，
３８ｆ，４８ｆ  ローラ軸受，
３９，４９，５９  第二の軸受，  ４０，５０，６０  第二の軸受部材，
４０ｆ，５０ｆ  パイプ状部材，  ５８ｂ，５８ｃ，６０ｂ  パイプ状部，
４１，４２，５１，５２，６１，６２  空間，  ６６  ワッシャ，
６７  鍵機構，  ６８  鍵レバー，  ６９  鍵用ワイヤ，  ７０  ラッチ。